(57)【要約】【課題】建屋内に布設済みの光エレメントを、隔壁を通して配線変更するような場合に、隔壁に新たに通線のための孔を開けることなく容易に配線変更できる光ケーブルとその布設方法を提供する。【解決手段】複数のインドア用の光エレメン１１と該光エレメントが挿通しうる内径を有する複数の中空パイプ１３とが、束ねられていることを特徴とする。なお、複数の光エレメントと中空パイプは撚り合わされ、中空パイプ１３の撚りピッチが、光エレメント１１の撚りピッチより大きくして撚り合わすことが好ましい。また、複数のインドア用の光エレメン１１と該光エレメントが挿通しうる内径を有する複数の中空パイプ１３とが束ねられている光ケーブルを、建築物の隔壁を貫通させて布設した後、中空パイプ１３を隔壁の両側で部分的に切断し、切断された中空パイプ内に光ユニットを挿通させて、隔壁を貫通するように布設する。【選択図】図１
2012027218.tif 000002
【特許請求の範囲】
【請求項１】
複数のインドア用の光エレメンと該光エレメントが挿通しうる内径を有する複数の中空パイプとが、束ねられていることを特徴とする光ケーブル。
【請求項２】
前記光エレメントと前記中空パイプが撚り合わされ、前記前記中空パイプの撚りピッチが、前記光エレメントの撚りピッチより大きいことを特徴とする請求項１に記載の光ケーブル。
【請求項３】
複数のインドア用の光エレメンと該光エレメントが挿通しうる内径を有する複数の中空パイプとが束ねられている光ケーブルを、建築物の隔壁を貫通させて布設した後、前記中空パイプを前記隔壁の両側で部分的に切断し、切断された前記中空パイプ内に前記光ユニットを挿通させて、前記隔壁を貫通するように布設することを特徴とする光ケーブルの布設方法。
【発明の詳細な説明】
【技術分野】
【０００１】
本発明は、ビル等の建物内の光ファイバ配線に用いる光ケーブルおよび該光ケーブルを用いた光ケーブル布設方法に関する。
【背景技術】
【０００２】
近年、マンション等の集合住宅やテナントビル等での光配線化が進んでいるが、これらの光配線には、光エレメントとも呼ばれているインドア用の光ファイバケーブルを複数本撚り合わせてユニット化された光ケーブルが用いられている。この光ケーブルは、例えば、特許文献１に開示されるように、複数本の光エレメントを撚り合わせて束ね、管路内に通線して布設される。光エレメントとしては、光ファイバ心線の両側に平行にテンションメンバを配し外被で一体に被覆した形状のもの、あるいは、光ファイバ心線を外被で被覆しただけのテンションメンバを有しないもの、等が用いられる。
【先行技術文献】
【特許文献】
【０００３】
【特許文献１】特開２００９−１９８７７９号公報
【発明の概要】
【発明が解決しようとする課題】
【０００４】
新築のビルにおいて、上下階に対して縦系で光ケーブルを布設する場合、図３に示すように管路を用いずに梯子状のケーブル固定施設（ラダ−）を用いて布設することがある。図３（Ａ）に示すように、この場合の光配線用の光ケーブルに、上記特許文献１に開示の光ケーブル１を用いるとする。この光ケーブル１は、上下階を仕切る隔壁２に開孔３を開けて引き通され、必要に応じて光ケーブルから光エレメント１ａ，１ｂ・・・が所定の階に分岐され、例えば、当該階の光配線盤４ａ，４ｂ等に配線される。なお、光ケーブル１が通線された隔壁２の開孔３の隙間は、防火上の理由からビル完成時には塞がれる。
【０００５】
その後、図３（Ｂ）に示すように、光ファイバ配線がされた階での光ファイバ利用の需要が無くなり（加入者がいなくなる等）、その上階で光ファイバ配線が未配線の階で光ファイバ利用の需要が生じた（加入者が入居する等）とする。しかし、光ケーブル１の光ユニット数に余裕がなく、光ファイバ利用の需要が無くなった光ファイバ配線階に引出されている光ユニット１ｂを、光ファイバ利用の需要が生じた階で流用することで対応するとする。
【０００６】
この場合、図３（Ｃ）に示すように、光ケーブル１を通す隔壁２に形成されている既存の開孔３は塞がれているので、光ユニット１ｂを通す孔３ａを新たに開ける。そして、上階側に布設されている既存の光ユニット１ｂに再接続して、光ファイバ利用の需要が生じた階で新たに光ユニット１ｂを引出し、新たな当該階の光配線盤４ｃに配線して光ケーブル追加階とし、光ファイバ利用の需要が無くなった光ファイバ配線階を光ケーブル廃止階とする。なお、光ユニット１ｂを新たに開けた孔３ａに通線し移した後に、孔３ａは塞ぐ必要がある。このため、上記のような、隔壁に新たに孔を開けての光配線の変更工事（光配線工事と孔開け工事は、通常、工事業者が異なる）は、実際には困難となる。
【０００７】
本発明は、上述した実情に鑑みてなされたもので、建屋内に布設済みの光エレメントを、隔壁を通して配線変更するような場合に、隔壁に新たに通線のための孔を開けることなく容易に配線変更できる光ケーブルとその布設方法の提供を目的とする。
【課題を解決するための手段】
【０００８】
本発明による光ケーブルは、複数のインドア用の光エレメンと該光エレメントが挿通しうる内径を有する複数の中空パイプとが、束ねられていることを特徴とする。なお、複数の光エレメントと中空パイプは撚り合わされ、中空パイプの撚りピッチが、光エレメントの撚りピッチより大きくして撚り合わすことが好ましい。
【０００９】
また、上記の光ケーブルを用いた布設方法は、複数のインドア用の光エレメンと該光エレメントが挿通しうる内径を有する複数の中空パイプとが束ねられている光ケーブルを、建築物の隔壁を貫通させて布設した後、中空パイプを隔壁の両側で部分的に切断し、切断された中空パイプ内に光ユニットを挿通させて、隔壁を貫通するように布設することを特徴とする。
【発明の効果】
【００１０】
本発明によれば、光ケーブル布設時に複数の光エレメントと一体的に布設した中空パイプを所定の箇所で切断することにより、隔壁を貫通する通線孔とすることができる。この結果、光ケーブル布設後に光エレメントの配線形態に変更が生じたとしても、上記の通線孔を用いて光エレメントを通線することが可能となり、上下階のように建物内の部屋間を仕切る隔壁に孔を開けずに容易に配線変更を行うことができる。
【図面の簡単な説明】
【００１１】
【図１】本発明による光ケーブルの概略を説明する図である。
【図２】本発明による光ケーブルを用いた布設方法を説明する図である。
【図３】従来技術を説明する図である。
【発明を実施するための形態】
【００１２】
図１により本発明による光ケーブルの実施形態を説明する。図１（Ａ）は、本発明による光ケーブル１０の一例を示し、中心に複数本の中空パイプ１３を配し、その外側に中空パイプ１３を囲むようにして複数本の光エレメント１１を撚り合わせて構成した例である。光エレメント１１は、例えば、インドア用の光ファイバケーブルとして知られる断面矩形状のもので、光ファイバ心線１２ａの両側にテンションメンバ１２ｂを平行に配し、外被１２ｃで一体に被覆したものである。外被１２ｃの側面には、中の光ファイバ心線１２ａを取り出しやすくする引裂き用のノッチ１２ｄが形成されている。また、光ファイバ心線１２ａは１心以上で、多心のテープ心線を有するものであってもよい。
【００１３】
中空パイプ１３は、光エレメント１１を挿通させることが可能な内径を有する可撓性のパイプで、樹脂または金属で形成される。この中空パイプ１３は、１本以上あればよく、２本以上の複数本ある場合は、直線状でもよいが互いに撚り合わせて一体化するようにしてもよい。この中空パイプ１３の外周には、複数本の光エレメント１１を添わせて、中空パイプ１３の周りで撚り合わせることでバラケないようにする。しかし、中空パイプ１３は、前記の撚りによって潰れたりしないことが必要である。また、中空パイプ１３の撚りピッチをあまり小さくすると、光エレメントが挿通しにくくなるので、光エレメントの撚りピッチよりは大きい撚りピッチとするのが好ましい。
【００１４】
少なくとも１本の中空パイプ１３および複数本の光エレメント１１を上記のように撚り合わせることで、束状にユニット化された光ケーブルとすることができるが、適宜、結束部材や粗巻き紐やテープを用いて、大きくバラケるのを防止するようにしてもよい。
なお、光エレメント１１として、断面が矩形状のものを例示したが、円形状、楕円状であってもよく、また、テンションメンバを有しない構造のものであってもよい。
【００１５】
図１（Ｂ）は、他の実施形態を示す図で、中空パイプ１３を光ケーブルの中心でなく、外側に配したものである。本実施形態では、複数本の光エレメント１１を撚り合わせて束状とした後、その外周に１本以上の中空パイプ１３を撚り合わせてユニット化することができる。この場合、図１（Ａ）の実施形態と同様に、中空パイプ１３のよりピッチを光エレメント１１の撚りピッチより大きくするのが好ましい。なお、光エレメント１１と中空パイプ１３を一体にして撚り合わせてもよいが、この場合は、中空パイプ１３と光エレメント１１の撚りピッチは同じとなる。
【００１６】
図２は、上記の光ケーブル１０をビルの建物内に縦系で布設する例を説明する図で、図２（Ａ）は、例えば、ビル新築当初の布設形態を示しているとする。光ケーブル１０は、ビルの各階を仕切る隔壁１４に開けられている開孔１５を引き通して布設される。この場合、光ケーブル配線階Ｅと光ケーブル未配線階Ｆがあるが、光ケーブル配線階Ｅにおいては、所定の光エレメント１１が分岐されて、光エレメントの分岐引出し部分１１ａが当該階の光配線盤１６等に接続される。一方、中空パイプ１３は、途中でカットされることなく上下階を一気通貫で通される。なお、光ケーブル未配線階Ｆでは、光エレメント１１は分岐されることなく上階側に向けて通り抜ける。
【００１７】
図２（Ｂ）は、図２（Ａ）の光ケーブル布設状態から、光ケーブル配線階Ｅの光ケーブル配線を廃止し光ケーブル廃止階Ｇとし、直上の階の光ケーブル未配線階Ｆに光ケーブル配線を行い、光ケーブル追加階Ｈに配線変更する例である。この場合、光ケーブル廃止階Ｇと直上の階の光ケーブル追加階Ｈとを仕切る隔壁１４の両側で中空パイプ１３をカットし、貫通パイプ部１３ａとパイプ切除部１３ｂとする。
【００１８】
そして、光ケーブル廃止階Ｇの光エレメントの分岐引出し部分１１ａを光配線盤１６から外して、パイプ切除部１３ｂから貫通パイプ部１３ａに通線して隔壁１４を貫通させる。光ケーブル追加階Ｈ側に通線された光エレメントの分岐引出し部分１１ａを、光ケーブル内に残っているカットされた光エレメント１１に光接続器（光コネクタまたは融着接続）１１ｂで接続する。この後、光ケーブル追加階Ｈに設置された光配線盤１６に、光エレメント１１の新たな分岐引出し部分１１ａを接続する。
【００１９】
図２（Ｃ）は、図２（Ａ）の光ケーブル布設状態から、光ケーブル配線階Ｅの光ケーブル配線を廃止し光ケーブル廃止階Ｇとし、上方の階（直上の階より上の階）の光ケーブル未配線階に光ケーブル配線を行い、光ケーブル追加階に配線変更する例である。この場合、光ケーブル廃止階Ｇと直上の光ケーブル未配線階Ｆ（光ケーブル配線階であってもよい）とを仕切る隔壁１４の両側で中空パイプ１３をカットし、上記図２（Ｂ）と同様に貫通パイプ部１３ａを形成する。
【００２０】
そして、光ケーブル廃止階Ｇの光エレメントの分岐引出し部分１１ａを光配線盤１６から外して、貫通パイプ部１３ａに通線して隔壁１４を貫通させる。光ケーブル未配線階Ｆに通線された光エレメントの分岐引出し部分１１ａを、光ケーブル内に残っているカットされた光エレメント１１に光接続器１１ｂで接続する。この後、直上の光ケーブル未配線階Ｆの上方の階で、上記図２（Ｂ）と同様に復活された光エレメント１１に、新たな分岐引出し部分１１ａを形成して、当該階の光配線盤１６に接続する。
【００２１】
図２（Ｄ）は、図２（Ｃ）の例と同様に図２（Ａ）の光ケーブル布設状態から、光ケーブル配線階Ｅの光ケーブル配線を廃止し光ケーブル廃止階Ｇとし、上方の階（直上の階より上の階）の光ケーブル未配線階に光ケーブル配線を行い、光ケーブル追加階に配線変更する例である。この場合、光ケーブル廃止階Ｇと直上の光ケーブル未配線階Ｆを仕切る隔壁１４の両側で中空パイプ１３をカットし、貫通パイプ部１３ａを形成する。
【００２２】
そして、光ケーブル廃止階Ｇの光エレメントの分岐引出し部分１１ａを光配線盤１６から外さずにそのまま残し、光配線盤１６を介して、別途短尺の光エレメント１１ｃを前記の分岐引出し部分１１ａと直列に光結合されるように接続する。短尺の光エレメント１１ｃを貫通パイプ部１３ａに通線して隔壁１４を貫通させる。光ケーブル未配線階Ｆに通線された短尺の光エレメント１１ｃを、光ケーブル内に残っているカットされた光エレメント１１に光接続器１１ｂで接続する。この後、直上の光ケーブル未配線階Ｆの上方の階で、上記図２（Ｂ）と同様に復活された光エレメント１１に、新たな分岐引出し部分１１ａを形成して、当該階の光配線盤１６に接続する。
【００２３】
上記のように図１に示す光ケーブルを用い、図２に示すような方法で光ケーブルを布設することにより、光エレメントを上下階を仕切る隔壁に新たに孔を開けることなく通線することが可能となり、光ファイバ配線の変更等が容易となる。
また、光ケーブルが上下階の水平な隔壁を貫通する縦系の布設例で説明したが、隣り合う空間を垂直な隔壁を貫通する横系の布設に際しても、室間を仕切る隔壁に孔を開けて光ファイバ配線の変更を行うような場合にも適用することができる。
【符号の説明】
【００２４】
１０…光ケーブル、１１…光エレメント、１１ａ…分岐引出し部分、１１ｂ…光接続器、１１ｃ…短尺の光エレメント、１２ａ…光ファイバ心線、１２ｂ…テンションメンバ、１２ｃ…外被、１２ｄ…ノッチ、１３…中空パイプ、１３ａ…貫通パイプ部、１３ｂ…パイプ切除部、１４…隔壁、１５…開孔、１６…光配線盤。
【図１】
2012027218.tif 000003
【図２】
2012027218.tif 000004
【図３】
2012027218.tif 000005